(57)【要約】【課題】軒樋の下部に配設する下飾りの長手方向の端部同士を簡単に接続する。【解決手段】鼻板１の外面側に軒樋３を配設し、軒樋３の外面下端部と鼻板１とのなすコーナ部分に軒樋３の外面下端部から鼻板１側に向けて下り傾斜するような傾斜した下飾り４を配設する。下飾り４の長手方向の端部同士を内継手７で接続する。内継手７の幅方向の中間部に内継手７上端から上下方向の略中間部分に至るスリット１０を設ける。内継手７の幅方向の片側半部を一方の下飾り４の端部の背面側に沿わせて内継手７の幅方向の片側半部の上被係止部８と下被係止部９とを一方の下飾り４の上係止部５と下係止部６に係止し、内継手７の幅方向の他の片側半部を隣接する他方の下飾り４の端部の背面側に沿わせて内継手７の幅方向の他の片側半部の上被係止部８と下被係止部９とを他方の下飾り４の上係止部５と下係止部６に係止する。【選択図】        図１
2004176375.tif 000002
【特許請求の範囲】
【請求項１】
鼻板又は外壁の外面側に軒樋を配設し、軒樋の外面下端部と鼻板又は外壁とのなすコーナ部分に軒樋の外面下端部から鼻板又は外壁側に向けて下り傾斜するような傾斜した下飾りを配設し、この下飾りの長手方向の端部同士を内継手で接続するものにおいて、該下飾りの上端部に上係止部を設けると共に下端部に下係止部を設け、下飾りと同じ傾斜をした弾性を有する板材よりなる内継手の上下端部にそれぞれ上被係止部と下被係止部とを設け、この内継手の幅方向の中間部に内継手上端から上下方向の略中間部分に至るスリットを設け、該内継手の幅方向の片側半部を一方の下飾りの端部の背面側に沿わせて該内継手の幅方向の片側半部の上被係止部と下被係止部とを一方の下飾りの上係止部と下係止部に係止し、該内継手の幅方向の他の片側半部を隣接する他方の下飾りの端部の背面側に沿わせて該内継手の幅方向の他の片側半部の上被係止部と下被係止部とを他方の下飾りの上係止部と下係止部に係止して成ることを特徴とする軒樋下部の下飾りの接続構造。
【請求項２】
内継手の上下方向の中間部分を背方に向けて凸曲した凸曲部とし、内継手の幅方向の中間部に内継手上端から凸曲部上端付近に至るスリットを設けて成ることを特徴とする請求項１記載の軒樋下部の下飾りの接続構造。
【発明の詳細な説明】
【０００１】
【発明の属する技術分野】
本発明は、軒樋下部の下飾りの接続構造に関するものである。
【０００２】
【従来の技術】
一般に軒樋３は鼻板１や外壁２に取付けるのであるが、軒樋３が鼻板１や外壁２から突出して軒樋３だけが外方に飛び出しているような状態となって、軒樋３と鼻板１あるいは外壁２との一体感がなく、建物の軒先における外観が良くないという問題がある。
【０００３】
そこで、軒樋３と外壁２との間のなすコーナ部分に下飾り４を配設して、軒樋３と外壁２との一体感を現出するようにすることが提案されている。（例えば特許文献１参照）
【０００４】
【特許文献１】
特開平８−９３１５７号公報
【０００５】
【発明が解決しようとする課題】
上記のように軒樋３と外壁２との間のなすコーナ部分に下飾り４を取付けて、軒樋３と外壁２との一体感を現出するようにするために軒樋３の下部に下飾り４を配設した場合に下飾り４同士を長手方向に接続しなければ、下飾り４の長手方向の端部同士が前後あるいは上下にずれたり、あるいは、下飾り４の長手方向の端部間に隙間ができて外観が悪くなる。そこで、軒樋３の下部において下飾り４の長手方向の端部同士を接続する必要がある（なお、上記特許文献１には下飾り４の長手方向の端部同士を接続することについては開示はない）。
【０００６】
そこで、本発明者は本発明に至る過程で、図６、図７のように、下飾り４の上端部に上係止部５を設けると共に下端部に下係止部６を設け、下飾り４と同じ傾斜をした弾性を有する板材よりなる外継手２５の上下端部にそれぞれ下被係止部８’と下被係止部９’とを設け、該外継手２５の幅方向の片側半部を一方の下飾り４の端部の前面側に沿わせて該外継手２５の幅方向の片側半部の下被係止部８’と下被係止部９’とを一方の下飾り４の上係止部５と下係止部６に係止し、該外継手２５の幅方向の他の片側半部を隣接する他方の下飾り４の端部の前面側に沿わせて該外継手２５の幅方向の他の片側半部の上被係止部８’と下被係止部９’とを他方の下飾り４の上係止部５と下係止部６に係止することを考えた。つまり、外継手２５により下飾り４の端部同士を接続するのである。またこの場合、軒樋３の長手方向の端部同士は図６に示すように軒樋外継手２９により接続してある。
【０００７】
しかしながら、このように外継手２５により下飾り４の長手方向の端部同士を接続するものにおいては、外継手２５が露出して外観が悪いという問題がある。
【０００８】
このため、内継手を隣接する下飾り４の端部の内面側に沿わせた状態で係止により取付けることで下飾り４が外部に露出しないようにすることが考えられるが、この場合、下飾り４を施工してしまうと下飾り４の背方の空間は、下飾り４、軒樋３、鼻板１又は外壁２により囲まれた空間となり、下飾り４を取付けた後は内継手を取付けて下飾り４同士を接続することができない。そこで、この場合には一方の下飾り４を取付けた後、一方の下飾り４の端部に内継手の片側半部を取付け、その後、他方の下飾り４を取付ける際に同時に上記内継手の他の片側半部に他方の下飾り４を取付ける必要がある。しかしながら、他方の下飾り４を取付ける際に同時に上記内継手の他の片側半部に他方の下飾り４を取付ける作業はきわめて難しく、内継手の他の片側半部に他方の下飾り４を取付け難いという問題がある。
【０００９】
本発明は上記の点に鑑みてなされたものであり、軒樋の下部に配設する下飾りの長手方向の端部同士を内継手で簡単に接続できて、外観が向上すると共に省施工化が図れる軒樋下部の下飾りの接続構造を提供することを課題とするものである。
【００１０】
【課題を解決するための手段】
上記課題を解決するために本発明に係る軒樋下部の下飾りの接続構造は、鼻板１又は外壁２の外面側に軒樋３を配設し、軒樋３の外面下端部と鼻板１又は外壁２とのなすコーナ部分に軒樋３の外面下端部から鼻板１又は外壁２側に向けて下り傾斜するような傾斜した下飾り４を配設し、この下飾り４の長手方向の端部同士を内継手７で接続するものにおいて、該下飾り４の上端部に上係止部５を設けると共に下端部に下係止部６を設け、下飾り４と同じ傾斜をした弾性を有する板材よりなる内継手７の上下端部にそれぞれ上被係止部８と下被係止部９とを設け、この内継手７の幅方向の中間部に内継手７上端から上下方向の略中間部分に至るスリット１０を設け、該内継手７の幅方向の片側半部を一方の下飾り４の端部の背面側に沿わせて該内継手７の幅方向の片側半部の上被係止部８と下被係止部９とを一方の下飾り４の上係止部５と下係止部６に係止し、該内継手７の幅方向の他の片側半部を隣接する他方の下飾り４の端部の背面側に沿わせて該内継手７の幅方向の他の片側半部の上被係止部８と下被係止部９とを他方の下飾り４の上係止部５と下係止部６に係止して成ることを特徴とするものである。
【００１１】
このような構成とすることで、下飾り４を介して軒樋３と鼻板１又は外壁２との一体感を図ることができる。また、内継手７を隣接する下飾り４の長手方向の端部の背面側に沿わせて隣接する下飾り４同士を接続するので下飾り４の長手方向の端部の接続部分において内継手７が外部に露出しないようにできる。また、内継手７の幅方向の中間部に内継手７上端から上下方向の略中間部分に至るスリット１０を設けてあるので、内継手７で下飾り４の長手方向の端部同士を接続するに当たって、一方の下飾り４を取付けた後、一方の下飾り４の端部に内継手７の片側半部を取付け、その後、他方の下飾り４を取付ける際に、上記スリット１０により内継手７の他の片側半部が先に一方の下飾り４に取付けた部分に規制されることなく弾性変形して内継手７の他の片側半部に他方の下飾り４を容易に取付けることができる。
【００１２】
また、内継手７の上下方向の中間部分を背方に向けて凸曲した凸曲部１１とし、内継手７の幅方向の中間部に内継手７上端から凸曲部１１上端付近に至るスリット１０を設けることが好ましい。このような構成とすることでスリット１０、凸曲部１１部分でそれぞれ弾性変形できてよりいっそう容易に内継手７の他の片側半部に他方の下飾り４を容易に取付けることができる。
【００１３】
【発明の実施の形態】
以下、本発明を添付図面に示す実施形態に基づいて説明する。
【００１４】
鼻板１の上部外面には鼻板１の長手方向に沿って複数の軒樋取付け金具１２が取付けてあって、軒樋取付け金具１２に軒樋３を取付けることで鼻板１の外面側の上部に長手方向に沿って軒樋３を配設してある。
【００１５】
鼻板１の下部外面には鼻板１の長手方向に沿って複数の下飾り取付け金具１３が取付けてあり、この下飾り取付け金具１３に下飾り４を取付けることで鼻板１の外面側の下部（つまり軒樋３の下部）に長手方向に沿って下飾り４を配設してある。
【００１６】
なお、上記軒樋取付け金具１２と下飾り取付け金具１３とは別々の金具であってもよく、あるいは軒樋取付け金具１２と下飾り取付け金具１３とは一体の金具であってもよい。
【００１７】
軒樋取付け金具１２には外側耳支持部１５と内側耳支持部１４とが設けてあり、軒樋３の両側上端部に設けた外側耳部２４と内側耳部２３とをそれぞれ軒樋取付け金具１２の外側耳支持部１５と内側耳支持部１４とに係止することで軒樋３を軒樋取付け金具１２に取付けてある。
【００１８】
下飾り取付け金具１３は垂直な固定片１６と、固定片１６から外側方に突出した横向き突出部１７と、横向き突出部１７の突出先端部に設けた傾斜片１８とで構成してあり、傾斜片１８は下程固定片１６側に近づくように傾斜しており、傾斜片１８の上下端部にはそれぞれ上引掛け部２２、下引掛け部１９が設けてある。そして、下飾り取付け金具１３は固定片１６を鼻板１に取付けた状態で、上引掛け部２２が鼻板１の上部の外面側に取付けて配設した軒樋３の外面下端部に近接し、また、下引掛け部１９が鼻板１の下部の外面に近接して位置するものである。
【００１９】
下飾り４は金属板、合成樹脂板、合成樹脂被覆金属板等の横方向に長尺となった弾性を有する板材により形成してあり、この下飾り４の上端部に上係止部５を設けると共に下端部に下係止部６を設けてある。
【００２０】
内継手７は図５に示すようなもので金属板、合成樹脂板、合成樹脂被覆金属板等の弾性を有する板材により形成してあり、内継手７は上下方向の中間部を除いて上記下飾り４の背面に沿う形状をしている。内継手７の上下端部にそれぞれ上被係止部８と下被係止部９とが設けてある。内継手７の上下方向の中間部分は背方に向けて凸曲してあって凸曲部１１となっており、この内継手７の幅方向の中間部に内継手７上端から内継手７の上下方向の略中間部分に至る（実施形態では凸曲部１１上端付近に至る）ようにスリット１０が形成してある。ここで、内継手７の上下方向の中間部分に凸曲部１１を設けるのは内継手７が上下方向に弾性変形しやすいようにばね性を持たせるためであり、また、内継手７の幅方向の中間部に内継手７上端から内継手７の上下方向の略中間部分に至るスリット１０を設けるのは内継手７の幅方向の片側半部の上部が他の片側半部の上部に対して独立して容易に弾性変形できるようにするためである。
【００２１】
しかして、図３に示すように、軒樋３の外面下端部と鼻板１とのなすコーナ部分に軒樋３の外面下端部から鼻板１側に向けて下り傾斜するような下飾り４を傾斜して取付け、更に長手方向において隣合う下飾り４同士を上記内継手７により接続することで、外面から見て軒樋３と下飾り４とが鼻板１と一体化するような外観とするものである。
【００２２】
ここで、下飾り４の取付け、下飾り４の長手方向の端部同士の接続は以下のようにして行うものである。
【００２３】
まず、一つの下飾り４を複数の下飾り取付け金具１３に取付けるのであるが、この場合、下飾り取付け金具１３の下端の下引掛け部１９に下飾り４の下端の下係止部６を引掛け係止した状態で、下引掛け部１９への下係止部６の係止部分を支点として下飾り４を回動しながら下飾り４の上係止部５を下飾り取付け金具１３の上端の上引掛け部２２に弾性的に引掛け係止することで一つの下飾り４を取付ける。このようにして下飾り４を取付けることで、軒樋３の外面下端部と鼻板１とのなすコーナ部分に下飾り４を軒樋３の外面下端部から鼻板１側に向けて下り傾斜する傾斜状態で配設するものである（図３参照）。
【００２４】
上記のように一つの下飾り４を取付けた後、上記一つ（一方）の下飾り４の端部に内継手７の片側半部を取付ける。この場合、内継手７の幅方向の片側半部を一方の下飾り４の端部の背面側に沿わせて該内継手７の幅方向の片側半部の上被係止部８と下被係止部９とを一方の下飾り４の上係止部５と下係止部６に係止することで取付けるものであり、この際、内継手７は凸曲部１１により上下方向に弾性変形しやすく、また、内継手７の幅方向の片側半部の上部が他の片側半部の上部に規制されることなく弾性変形しやすくなり、これにより内継手７の片側半部を弾性変形させて容易に内継手７の幅方向の片側半部の上被係止部８と下被係止部９とを一方の下飾り４の上係止部５と下係止部６に係止することができるものである。
【００２５】
次に、隣接する他方の下飾り４を取付けると共にこの他方の下飾り４の長手方向の端部の背面側に上記すでに取付けている一方の下飾り４の長手方向の端部の背面側に片側半部を取付けている内継手７の幅方向の他の片側半部を接続する。
【００２６】
すなわち、隣接する他方の下飾り４の下端の下係止部６を下飾り取付け金具１３の下端の下引掛け部１９に引掛け係止すると共に、該他方の下飾り４の長手方向の一端部においては下係止部６を先に取付けている一方の下飾り４の長手方向の端部背面側に片側半部を取付けている内継手７の幅方向の他の片側半部の下端部の下被係止部９に引掛け係止した状態で、下係止部６による引掛け係止部分を支点として下飾り４を回動しながら下飾り４の上係止部５を下飾り取付け金具１３の上端の上引掛け部２２に弾性的に引掛け係止すると共に、該他方の下飾り４の長手方向の一端部においては上係止部５を先に取付けている一方の下飾り４の長手方向の端部背面側に片側半部を取付けている内継手７の幅方向の他の片側半部の上端部の上被係止部８に引掛け係止するものである。
【００２７】
この場合、スリット１０により内継手７の他の片側半部が先に一方の下飾り４に取付けた部分に規制されることなく容易に弾性変形できると共に、凸曲部１１により内継手７が図４の矢印に示すように上下方向に容易に弾性変形しやすいので、他方の下飾り４の下飾り取付け金具１３への取付け作業時に同時に該他方の下飾り４の長手方向の一端部においては上係止部５を内継手７の幅方向の他の片側半部の上端部の上被係止部８に弾性変形を利用して容易に引掛け係止することができるものである。
【００２８】
このような構成とすることで、下飾り４の長手方向の端部の接続部分において内継手７が外部に露出しないようにして隣接するした下飾り４の長手方向の端部同士を接続できるものである。
【００２９】
ところで、図２においては軒樋３の長手方向の端部同士は軒樋内継手２０により接続してあるが、この軒樋３の長手方向の端部同士を軒樋内継手２０により接続するのは従来から公知の構成を採用することができるものである。
【００３０】
なお、上記実施形態においては、鼻板１の外面側に軒樋３を配設し、軒樋３の外面下端部と鼻板１とのなすコーナ部分に軒樋３の外面下端部から鼻板１又は外壁２側に向けて下り傾斜するような傾斜した下飾り４を配設し、該下飾り４の長手方向の端部同士を上記のように内継手７で接続した例を示したが、外壁２の上端部の外面側に軒樋３を配設し、軒樋３の外面下端部と外壁２とのなすコーナ部分に軒樋３の外面下端部から外壁２側に向けて下り傾斜するような傾斜した下飾り４を配設し、該下飾り４の長手方向の端部同士を前述と同様にして内継手７で接続するようにしてもよいものである。
【００３１】
【発明の効果】
上記のように本発明の請求項１記載の発明にあっては、鼻板又は外壁の外面側に軒樋を配設し、軒樋の外面下端部と鼻板又は外壁とのなすコーナ部分に軒樋の外面下端部から鼻板又は外壁側に向けて下り傾斜するような傾斜した下飾りを配設してあるので、下飾りを介して軒樋と鼻板又は外壁との一体感を現出できて外観が良いものであり、また、下飾りの長手方向の端部同士を内継手で接続するものにおいて、該下飾りの上端部に上係止部を設けると共に下端部に下係止部を設け、下飾りと同じ傾斜をした弾性を有する板材よりなる内継手の上下端部にそれぞれ上被係止部と下被係止部とを設け、内継手の幅方向の片側半部を一方の下飾りの端部の背面側に沿わせて該内継手の幅方向の片側半部の上被係止部と下被係止部とを一方の下飾りの上係止部と下係止部に係止し、該内継手の幅方向の他の片側半部を隣接する他方の下飾りの端部の背面側に沿わせて該内継手の幅方向の他の片側半部の上被係止部と下被係止部とを他方の下飾りの上係止部と下係止部に係止してあるので、内継手が外部に露出せず外観が良く、しかも、内継手の幅方向の中間部に内継手上端から上下方向の略中間部分に至るスリットを設けてあるので、内継手で下飾りの長手方向の端部同士を接続するに当たって、一方の下飾りを取付けた後、一方の下飾りの端部に内継手の片側半部を取付け、その後、他方の下飾りを取付ける際に、上記スリットにより内継手の他の片側半部が先に一方の下飾りに取付けた部分に規制されることなく弾性変形して内継手の他の片側半部に他方の下飾りを容易に取付けることができ、これにより、外観が向上すると共に省施工化が図れるものである。
【００３２】
また、請求項２記載の発明にあっては、上記請求項１記載の発明の効果に加えて、内継手の上下方向の中間部分を背方に向けて凸曲した凸曲部とし、内継手の幅方向の中間部に内継手上端から凸曲部上端付近に至るスリットを設けてあるので、スリットによる弾性変形と及び凸曲部部分おける弾性変形によりいっそう内継手の他方の下飾りに取付ける他の片側半部が弾性変形し易くなり、これによりいっそう簡単に内継手の他の片側半部に他方の下飾りを容易に取付けることができるものである。
【図面の簡単な説明】
【図１】本発明の内飾りの長手方向の端部を内継手で接続している部分の断面図である。
【図２】同上の下飾りの長手方向の端部を内継手で接続している部分の正面図である。
【図３】同上の下飾りを下飾り取付け金具で取付けている部分の断面図である。
【図４】同上の先に取付けた一方の下飾りの端部に取付けた内継手の他の片側半部に他方の下飾りを取付けている途中の状態を示す説明図である。
【図５】同上に用いる内継手を示し、（ａ）は正面図であり、（ｂ）は側面図である。
【図６】従来例を示す断面図である。
【図７】従来例を示す正面図である。
【符号の説明】
１  鼻板
２  外壁
３  軒樋
４  下飾り
５  上係止部
６  下係止部
７  内継手
８  上被係止部
９  下被係止部
１０  スリット
１１  凸曲部
【図１】
2004176375.tif 000003
【図２】
2004176375.tif 000004
【図３】
2004176375.tif 000005
【図４】
2004176375.tif 000006
【図５】
2004176375.tif 000007
【図６】
2004176375.tif 000008
【図７】
2004176375.tif 000009